(57)【要約】【課題】本考案は、自動改札機を通過する際の改札処理の迅速、且つ、円滑性に寄与できるとともに顧客の余分な操作を不要とすることでき、しかも種々の形のバッグ類に広範に対応できるバッグ類中敷１を提供する。【解決手段】本考案のバッグ中敷１は、非接触型定期券５収納用の収納部３を備えるとともに、前記収納部３の回りに婦人用、紳士用、ポーチ型等から選定される各種バッグ類の内底部形状に合わせて切断するための複数の寸法の異なる切断指示枠線４ａ乃至４ｄを具備するものである。【選択図】図１
0003106676.tif 000002
【実用新案登録請求の範囲】
【請求項１】
非接触型定期券収納用の収納部を備えるとともに、前記収納部の回りに各種バッグ類の内底部形状に合わせて切断するための任意数の寸法の異なる切断指示枠線を具備することを特徴とする非接触型定期券収納用のバッグ類中敷。
【請求項２】
非接触型定期券収納用の収納部を備えるとともに、前記収納部の回りに婦人用、紳士用、ポーチ型等から選定される各種バッグ類の内底部形状に合わせて切断するための複数の寸法の異なる切断指示枠線を具備することを特徴とする非接触型定期券収納用のバッグ類中敷。
【請求項３】
非接触型定期券収納用の収納部を備えるとともに、内装すべきバッグ類の内底部形状に対応した外形寸法となるように切断形成されたことを特徴とする非接触型定期券収納用のバッグ類中敷。
【請求項４】
非接触型定期券収納用の収納部を備えるとともに、婦人用、紳士用、ポーチ型等から選定される内装すべきバッグ類の内底部形状に対応した外形寸法となるように切断形成されたことを特徴とする非接触型定期券収納用のバッグ類中敷。
【請求項５】
バッグ類本体と、
非接触型定期券収納用の収納部を備えるとともに、前記バッグ類本体の内底部の形状に合わせて切断形成され、前記収納部を前記内底部側としてバッグ類本体内に敷設するバッグ類中敷と、
を有することを特徴とする非接触型定期券内蔵型のバッグ類。
【請求項６】
婦人用、紳士用、ポーチ型等から選定されるバッグ類本体と、
非接触型定期券収納用の収納部を備えるとともに、前記バッグ類本体の内底部の形状に合わせて切断形成され、前記収納部を前記内底部側としてバッグ類本体内に敷設するバッグ類中敷と、
を有することを特徴とする非接触型定期券内蔵型のバッグ類。
【請求項７】
バッグ類本体と、
このバッグ類本体の外底部に設けた非接触型定期券収納用の収納部と、
を有することを特徴とする非接触型定期券外装型のバッグ類。
【請求項８】
婦人用、紳士用、ポーチ型等から選定されるバッグ類本体と、
このバッグ類本体の外底部に固着した固着片、この固着片に対してファスナ部材を用いて重合、分離可能に形成した開閉片及び該開閉片に設けた非接触型定期券用のポケット部とからなる収納部と、
を有することを特徴とする非接触型定期券外装型のバッグ類。
【考案の詳細な説明】
【技術分野】
【０００１】
本考案は、非接触型定期券収納用のバッグ類中敷、非接触型定期券内装型のバッグ類及び非接触型定期券外装型のバッグ類に関し、詳しくは、自動改札機を通過する際の改札処理の迅速、且つ、円滑性に寄与できるとともに顧客の余分な操作を不要とすることでき、しかも種々の形のバッグ類に広範に対応できる非接触型定期券収納用のバッグ類中敷、非接触型定期券内装型のバッグ類及び非接触型定期券外装型のバッグ類に関するものである。
【背景技術】
【０００２】
近年、電車等々の交通機関の駅において自動改札機を経て入退場を行う場合に、通常の挿入型の定期券、乗車券の他に、無線通信機能を備えたＩＣカードを内蔵した非接触型定期券が利用されるようになってきている。
【０００３】
このような非接触型定期券を使用する場合、自動改札機に設けた処理部（タッチ部）に対して、顧客がポケットやバッグ等から取り出し手に持った非接触型定期券（又はケース入りの非接触型定期券）を接触又は接近させることで、自動改札機との間で無線により改札に必要な情報の交信を行い、自動的に改札処理が実行される。
【０００４】
ところで、朝夕の通勤、通学ラッシュ時においては、大勢の顧客に対する改札処理を迅速、且つ、円滑に実行することが要請されるが、上述したような非接触型定期券のポケット等からの取り出し操作を顧客が強いられる状態では改札処理の迅速、且つ、円滑性を十分に期待できない。
【０００５】
特許文献１には、ショルダ付きバッグ本体の外側壁面に蓋付きカード専用収納部を設けた構成のバッグ等携帯用具が提案されている。
【０００６】
しかし、この特許文献１のバッグ等携帯用具の場合、バッグ本体の外側壁面に直接蓋付きカード専用収納部を設ける構成であり、バッグ本体の内部に非接触型定期券を内蔵するものではない。
【特許文献１】特開２００４−１６５５１号公報
【考案の開示】
【考案が解決しようとする課題】
【０００７】
解決しようとする問題点は、自動改札機を通過する際の改札処理の迅速、且つ、円滑性に寄与できるとともに顧客の余分な操作を不要とすることができ、しかも種々の形のバッグ類に広範に対応でき、バッグ類内に非接触型定期券を内蔵し得る非接触型定期券収納用のバッグ類中敷や、かかる中敷を備えたバッグ類が存在しない点である。
【課題を解決するための手段】
【０００８】
本考案の非接触型定期券収納用のバッグ類中敷は、非接触型定期券収納用の収納部を備えるとともに、前記収納部の回りに各種バッグ類の内底部形状に合わせて切断するための任意数の寸法の異なる切断指示枠線を具備することを最も主要な特徴とする。
【考案の効果】
【０００９】
本考案によれば、以下の効果を奏する。
請求項１、２記載の考案によれば、非接触型定期券収納用の収納部を備え、且つ、収納部の回りに各種バッグ類の内底部形状に合わせて切断するための任意数の寸法の異なる切断指示枠線を具備するものであるから、婦人用、紳士用、ポーチ型等から選定される内蔵すべきバッグ類の内底部形状に合わせて寸法の異なる切断指示枠線のいずれかに添って切断することにより、バッグ類内の底部に非接触型定期券を内蔵することができ、この結果、当該バッグ類を携帯して自動改札機を通過する際の改札処理の迅速、且つ、円滑性に寄与できるとともに顧客の余分な操作を不要とすることができる。
【００１０】
請求項３、４記載の考案によれば、非接触型定期券収納用の収納部を備え、内装すべきバッグ類の内底部形状に対応した外形寸法となるように切断形成されていることから、当該バッグ類内の底部分に非接触型定期券を内蔵することができ、この結果、当該バッグ類を携帯して自動改札機を通過する際の改札処理の迅速、且つ、円滑性に寄与できるとともに顧客の余分な操作を不要とすることができる。
【００１１】
請求項５、６記載の考案によれば、婦人用、紳士用、ポーチ型等から選定されるバッグ類本体内に、非接触型定期券収納用の収納部を備え、且つ、バッグ類本体の内底部の形状に合わせて切断形成したバッグ類中敷を敷設する構成としているので、前記収納部に非接触型定期券を収納しておくことにより、当該バッグ類を携帯して自動改札機を通過する際の改札処理の迅速、且つ、円滑性に寄与できるとともに顧客の余分な操作を不要とすることができる非接触型定期券内蔵型のバッグ類を提供することができる。
【００１２】
請求項７、８記載の考案によれば、婦人用、紳士用、ポーチ型等から選定されるバッグ類本体の外底部に、非接触型定期券収納用の収納部、すなわち、バッグ類本体の外底部に固着した固着片、この固着片に対してファスナ部材を用いて重合、分離可能に形成した開閉片及び該開閉片に設けた非接触型定期券用のポケット部からなる収納部を備えるものであるから、前記ポケット部に非接触型定期券を収納しておくことにより、当該バッグ類を携帯して自動改札機を通過する際の改札処理の迅速、且つ、円滑性に寄与できるとともに顧客の余分な操作を不要とすることができる非接触型定期券外装型のバッグ類を提供することができる。
【考案を実施するための最良の形態】
【００１３】
本考案は、自動改札機を通過する際の改札処理の迅速、且つ、円滑性に寄与できるとともに顧客の余分な操作を不要とすることでき、しかも種々の形のバッグ類に広範に対応でき、バッグ類内に非接触型定期券を内蔵可能とするという目的を、非接触型定期券収納用の収納部を備えるとともに、前記収納部の回りに婦人用、紳士用、ポーチ型等から選定される各種バッグ類の内底部形状に合わせて切断するための複数の寸法の異なる切断指示枠線を具備する構成により実現した。
【実施例】
【００１４】
以下に、本考案の実施例を詳細に説明する。
【００１５】
（実施例１）
図１、図２は本実施例１に係る非接触型定期券収納用のバッグ類中敷１を示すものであり、このバッグ類中敷１は、一面の中央部に非接触型定期券５を収納するためのポケット状の収納部３を備えた例えば挟み等で切断可能な硬質紙等からなる句形状の中敷本体２を具備し、この中敷本体２における前記収納部３の回りに婦人用、紳士用、子供用又はポーチ型等から選定される各種バッグ類の内底部形状に合わせて切断するための例えば４個の句形状の切断指示枠線４ａ乃至４ｄを設けている。
【００１６】
前記収納部３は、例えば非接触型定期券５の寸法、例えば横８．８ｃｍ、縦５．８ｃｍ、厚さ１乃至３ｍｍに対応して、この非接触型定期券５が確実に収納できる大きさの例えば透明樹脂シート６等を中敷本体２の一面に縫製等でポケット状に取り付けることにより形成している。透明樹脂シート６を用いるのは、非接触型定期券５の存在を外部から容易に視認し得るようにするためである。
【００１７】
前記各切断指示枠線４ａ乃至４ｄは、前記収納部３側と同一面に付しても良いし、その反体面側に付してもよいこともちろんである。
【００１８】
なお、前記中敷本体２に対して、前記句形状の切断指示枠線４ａ乃至４ｄのように４個の切断指示枠線を設ける場合の他、２個、３個、５個等任意個数の切断指示枠線を設ける構成とすることもできる。
【００１９】
図３は前記の中敷本体２を、各切断指示枠線４ａ乃至４ｄ別に切断して形成した４種類のバッグ類中敷１Ａ乃至１Ｄの形成例を示すものである。これら４種類のバッグ類中敷１Ａ乃至１Ｄのうち、バッグ類中敷１Ａは、例えば、図４に示す婦人用の大型のハンドバッグ１１内蔵用として使用される。
【００２０】
また、バッグ類中敷１Ｂは、図５に示す手提げ型のバッグ１２内蔵用として使用され、バッグ類中敷１Ｃは図６に示す紳士用のカバン１３内蔵用として使用され、更にバッグ類中敷１Ｄは図７に示すポーチ型のバッグ１４内蔵用として使用される。
【００２１】
このようにして、本実施例１によれば、一個のバッグ類中敷１を基にして、内装すべきバッグ類の内底部の寸法の相違に応じて、外形寸法が異なる４形態のうちのいずれかのバッグ類中敷を形成し、使用に供することが可能となる。
【００２２】
図８、図９は、前記バッグ類中敷１Ａのハンドバッグ１１に対する内蔵状態を示すものであり、非接触型定期券５を収納した前記収納部３が下面側になる状態で前記バッグ類中敷１Ａをハンドバッグ１１を開口してその内部に入れ、このハンドバッグ１１の底部材１１ａ上に載置する。この状態を図９に示す。
【００２３】
前記手提げ型のバッグ１２に対するバッグ類中敷１Ｂ、紳士用のカバン１３に対するバッグ類中敷１Ｃ、ポーチ型のバッグ１４に対するバッグ類中敷１Ｄの各々の内蔵状態も上述した場合と同様である。
【００２４】
図１０は、前記バッグ類中敷１Ａを内蔵したハンドバッグ１１を所有する顧客が、交通機関の駅の自動改札機２０を通過する際の状態を示すものである。
自動改札機２０について概説すると、自動改札機２０は、改札機本体２１に乗車券、通常定期券等用の挿入口２２、非接触型定期券用の処理部（タッチ部）２３、乗車券、通常定期券等の排出口２４、メッセージ表示部２５、開閉ゲート板２６、顧客センサ２７等が設けられている。
【００２５】
そして、改札機本体２１内に設けた改札処理手段により前記乗車券、通常定期券に対する情報読み取り、前記処理部２３にタッチ又は接近して配置される非接触型定期券との間の情報更新により改札処理を行い、前記開閉ゲート板２６の開、閉動作等を行って、顧客の改札処理を自動的に実行する。
【００２６】
前記ハンドバッグ１１を所有する顧客は、このハンドバッグ１１の底部を、前記処理部２３上に接触させ又はその近傍に接近させる。これにより、前記ハンドバッグ１１内の非接触型定期券と、改札機本体２１内に設けた改札処理手段との間の情報更新が実行され、当該顧客に対する改札処理が自動的に行われる。
【００２７】
すなわち、前記ハンドバッグ１１を所有する顧客は、ハンドバッグ１１から非接触型定期券を取り出すことなく、単にハンドバッグ１１の底部を、前記改札機本体２１の処理部２３上に接触させるという極めて簡略な動作のみで、速やかに自動改札機２０を通過して交通機関の駅への入場又は駅からの退場を行うことができる。
【００２８】
前記ハンドバッグ１１を所有する顧客に続いて自動改札機２０を利用する後続の顧客、例えばバッグ類中敷１Ｂを内蔵した手提げ型のバッグ１２を所有する顧客、バッグ類中敷１Ｃを内蔵した紳士用のカバン１３を所有する顧客、更にはバッグ類中敷１Ｄを内蔵したポーチ型のバッグ１４を所有する顧客も各々上述した場合と同様にして各々のバッグ１２、カバン１３、バッグ１４の底部を、前記改札機本体２１の処理部２３上に接触させるという極めて簡略な動作のみで、速やかに自動改札機２０を通過して交通機関の駅への入場又は駅からの退場を行うことができる。
【００２９】
この結果、前記自動改札機２０における顧客自身の労力軽減、通過時間の短縮化、自動改札処理の迅速化を図ることができる。
【００３０】
上述した本実施例１の構成は、図示していないが、背負い型のバッグ、小学生用のランドセル、中学生、高校生等用の学生鞄、ボストンバッグ、旅行用バッグ等種々の形状のバッグ類にも広範に適用可能である。
【００３１】
（実施例２）
次に、図１１、図１２を参照して本考案の実施例２である非接触型定期券外装型のバッグ類３０について説明する。
非接触型定期券外装型のバッグ類３０は、図１１、図１２に示すように、例えばバッグ類３０におけるバッグ本体３０ａの外底部３０ｂに、非接触型定期券収納用の収納部３１を設けて、収納部３１に非接触型定期券を収納し、実施例１の場合と同様、前記改札機本体２１の処理部２３上にバッグ類３０の外底部３０ｂ側を接触（又は接近）させるという極めて簡略な動作のみで、速やかに自動改札機２０を通過して交通機関の駅への入場又は駅からの退場を行うことを可能としたものである。
【００３２】
前記収納部３１は、例えば前記外底部３０ｂに縫製又は両面テープ等で取り付けた無線電波を遮蔽しない布製等の固着片３２と、この固着片３２と一体で、面ファスナ等により固着片３２に対して着脱可能とした開閉片３３とを具備し、開閉片３３に前記非接触型定期券（又はカードケース入り非接触型定期券）を挿脱可能に収納するポケット部３４を設けたものである。
【００３３】
前記ポケット部３４に対する前記非接触型定期券の挿入は、開閉片３３を固着片３２に付着した状態で非接触型定期券の表面が下側（前記前記改札機本体２１の処理部２３側）に向くようにして行うものである。
【００３４】
このような構成の非接触型定期券外装型のバッグ類３０を所有する顧客においても、顧客がバッグ類３０の外底部３０ｂ側を、前記改札機本体２１の処理部２３上に接触させるという極めて簡略な動作のみで、速やかに自動改札機２０を通過して交通機関の駅への入場又は駅からの退場を行うことができ、この結果、前記自動改札機２０における顧客の労力軽減、通過時間の短縮化、自動改札処理の迅速化を図ることができる。
【００３５】
前記非接触型定期券外装型のバッグ類３０は、既述したようなハンドバッグ１１、手提げ型のバッグ１２、紳士用のカバン１３、ポーチ型のバッグ１４のいずれを用いる場合にも同様に構成でき、各々の場合において自動改札機２０における顧客の労力軽減、通過時間の短縮化、自動改札処理の迅速化を図ることができる。
【産業上の利用可能性】
【００３６】
本考案に係るバッグ類中敷は、背負い型のバッグ、小学生用のランドセル、中学生、高校生等用の学生鞄、ボストンバッグ、旅行用バッグ等種々の形状のバッグ類の中敷としても広範に適用可能である。
【図面の簡単な説明】
【００３７】
【図１】本考案の実施例１に係るバッグ類中敷の底面図である。
【図２】本考案の実施例１に係るバッグ類中敷の部分拡大図である。
【図３】本考案の実施例１に係るバッグ類中敷の切断形態を示す説明図である。
【図４】本考案の実施例１に係るバッグ類中敷１Ａを内蔵した婦人用の大型のハンドバッグを示す斜視図である。
【図５】本考案の実施例１に係るバッグ類中敷１Ｂを内蔵した手提げ型のバッグを示す斜視図である。
【図６】本考案の実施例１に係るバッグ類中敷１Ｃを内蔵した紳士用のカバンを示す斜視図である。
【図７】本考案の実施例１に係るバッグ類中敷１Ｄを内蔵したポーチ型のバッグを示す斜視図である。
【図８】本考案の実施例１に係る大型のハンドバッグに対するバッグ類中敷１Ａの挿入状態の斜視図である。
【図９】本考案の実施例１に係るバッグ類中敷１Ａを内蔵した婦人用の大型のハンドバッグの断面図である。
【図１０】本考案の実施例１に係る婦人用の大型のハンドバッグの自動改札機における使用状態を示す斜視図である。
【図１１】本考案の実施例２に係る非接触型定期券外装型のバッグ類の底部を示す斜視図である。
【図１２】本考案の実施例２に係る非接触型定期券外装型のバッグ類の開閉片を開いた状態を示す斜視図である。
【符号の説明】
【００３８】
１    バッグ類中敷
１Ａ乃至１Ｄ  バッグ類中敷
２    中敷本体
３    収納部
４ａ乃至４ｄ  切断指示枠線
５    非接触型定期券
６    透明樹脂シート
１１    ハンドバッグ
１２    バッグ
１３    カバン
１４    バッグ
２０    自動改札機
２１    改札機本体
２２    挿入口
２３    処理部
２４    排出口
２５    メッセージ表示部
２６    開閉ゲート板
２７    顧客センサ
３０    バッグ類
３０ａ  バッグ本体
３０ｂ  外底部
３１    収納部
３２    固着片
３３    開閉片
３４    ポケット部
【図１】
0003106676.tif 000003
【図２】
0003106676.tif 000004
【図３】
0003106676.tif 000005
【図４】
0003106676.tif 000006
【図５】
0003106676.tif 000007
【図６】
0003106676.tif 000008
【図７】
0003106676.tif 000009
【図８】
0003106676.tif 000010
【図９】
0003106676.tif 000011
【図１０】
0003106676.tif 000012
【図１１】
0003106676.tif 000013
【図１２】
0003106676.tif 000014